(57)【要約】【課題】  パソコンおよび携帯電話などを含む電子機器の入力装置として片手で簡単な操作による文字の入力及び操作を提供する。内蔵した発電機により、パソコンおよび携帯電話などを含む電子機器の二次電池の使用可能時間を補う事を提供する。【解決手段】  回転キーを回転させる事によりパソコンおよび携帯電話などを含む電子機器へキーイベントを送る。また、回転キーを押下する事によりパソコンおよび携帯電話などを含む電子機器へキーイベントを送る。前記二つの操作により、簡単かつ統一的な操作を実現できる。また、回転キーを回転させる事により内蔵した発電機を回転させ、これにより発電された電力をパソコンおよび携帯電話などを含む電子機器及び、パソコンおよび携帯電話などを含む電子機器の二次電池へ供給し、二次電池の使用可能時間を補う。【選択図】  図１
2005115889.tif 000002
【特許請求の範囲】
【請求項１】
回転式キーを使用したハードウェア入力装置。
【請求項２】
請求項１の回転式キーを回転させる事によりパンコンおよび携帯電話などを含む電子機器にキーコードを送信するハードウェア装置。
【請求項３】
請求項１の回転式キーを押下する事によりパソコンおよび携帯電話などを含む電子機器にキーコードを送信するハードウェア装置。
【請求項４】
請求項１の回転式キーの入力補助を行う為の補助入力接点を装着した入力装置。
【請求項５】
請求項４の補助押しボタンを押下する事によりパソコンおよび携帯電話などを含む電子機器にキーコードを送信するハードウェア装置。
【請求項６】
請求項１の回転式キーをを回転させる事により回転式キーに接続された発電機を回転させ、パソコンおよび携帯電話などを含む電子機器に電力を供給するハードウェア装置。
【発明の詳細な説明】
【発明の詳細な説明】
【技術分野】
【０００１】本発明は、パソコンおよび携帯電話などを含む電子機器にキーコードを送信するハードウェア装置に関する。
【背景技術】
【０００２】パソコンおよび携帯電話などを含む電子機器を、野外などで使用する場合キーボードやマウスは操作し辛い。また、携帯電話およびＰＨＳ等のかな漢字入力等では、キー操作に慣れるまでに時間がかかる。また、キー操作に慣れてもデータ入力は複雑かつ時間を要する作業である。【０００３】また、パソコンおよび携帯電話などを含む電子機器を二次電池により動作させる場合、二次電池の蓄電容量の制限により、長時間の使用は出来ない。
【発明が解決しようとする課題】
【０００４】片手でかつ簡単な操作で、パソコンおよび携帯電話などを含む電子機器を操作し、片手でかつ簡単な操作で、かな漢字入力などのデータ入力を行う事ができる入力装置。
【０００５】パソコンおよび携帯電話などを含む電子機器を二次電池により動作させる場合、二次電池の蓄電容量の制限よる動作可能な時間を、内蔵した発電機により補う装置。
【課題を解決するための手段】
【０００６】
【０００７】請求項１及び図１に記載の回転式キーを使用する。
【０００８】この回転式キーを回転させる事により、パソコンおよび携帯電話などを含む電子機器にキーコードを送信する。このキーコードを受信したパソコンおよび携帯電話などを含む電子機器のソフトウェア等は、メニューの選択や画面のスクロールなどを行う事が出来る。
【０００９】また、この回転式キーを押下する事により、パソコンおよび携帯電話などを含む電子機器にキーコードを送信する。このキーコードを受信したパソコンおよび携帯電話などを含む電子機器のソフトウェア等は、そのキーコードを確定イベントまたはキャンセルイベントとしてアプリケーションに送信する。これによりメニュー選択の確定やアプリケーションの実行などを行う事が出来る。
【００１０】パソコンおよび携帯電話などを含む電子機器を二次電池により動作させる場合、請求項６及び図１の発電機８により、二次電池へ電力を供給する。これにより二次電池の使用可能な時間を補う。
【発明を実施するための最良の形態】
【００１１】図１は本発明の回転式キーを使用したハードウェア入力装置の外形図である。【００１２】図１（ａ）に示す、回転キー１を回転させる事により、図２の回路図に示す、回転キー回転検出用コモン接点２と回転キー回転検出用接点３が短絡する。これによりパソコンおよび携帯電話などを含む電子機器に回転キーの回転位置を送信する。【００１３】図２の２の回転キー回転検出用コモン接点２と、図２の３ａの回転キー回転検出用接点１が短絡している状態で図１の回転キー１を時計周りに回転させると図２の２の回転キー回転検出用コモン接点２と図２の３ｐの回転キー回転検出用接点１６が短絡する。図２の２回転キー回転検出用コモン接点２と図２の３ａの回転キー回転検出用接点１が短絡している状態で図１の回転キー１を反時計周りに回転させると図２の２の回転キー回転検出用コモン接点２と図２の３ｂの回転キー回転検出用接点２が短絡する。この様に図２の２の回転キー回転検出用コモン接点２がどの回転キー回転検出用接点と短絡しているかをパソコンおよび携帯電話などを含む電子機器のソフトウェア等が監視する事により図１の回転キー１の回転方向を検出する事が出来る。これにより、パソコンおよび携帯電話などを含む電子機器のソフトウェア等はフォーカスの移動、メニュー選択などを行う事が出来る。【００１４】図１（ｂ）は本発明の回転式キーを使用したハードウェア入力装置の断面図である。【００１５】図１（ｂ）に示す、回転キー１を押下する事により、図１（ｃ）に示す状態になり図３の回転キー押下検出用接点コモン４と回転キー押下検出用接点５が短絡する。この接点の状態をパソコンおよび携帯電話などを含む電子機器のソフトウェア等が監視する事により入力データの確定およびキャンセル、メニュー選択の確定およびキャンセル、アプリケーションの起動及び終了などを行う事が事が出来る。【００１６】図１の６の補助押しボタン１および、図１の７の補助押しボタン２を押下する事により図４の６および図４の７の接点が短絡する。この接点の状態をパソコンおよび携帯電話などを含む電子機器のソフトウェア等が監視する事により入力データの確定およびキャンセル、メニュー選択の確定およびキャンセル、アプリケーションの起動及び終了などを行う事が事が出来る。【００１７】図１の回転キー１を回転させる事により、図１の発電機８が回転し、パンコンおよび携帯電話などを含む電子機器及び、パソコンおよび携帯電話などを含む電子機器の二次電池へ電力を供給する。
【発明の効果】
【００１８】パソコンおよび携帯電話などを含む電子機器を野外で操作する場合キーボードやマウスを操作し辛い場所でも、本発明を使用する事により、場所を選ばず簡単な操作でパソコンおよび携帯電話などを含む電子機器を操作する事が可能となる。
【００１９】また、簡単な操作で、かな漢字入力などのデータ入力作業を行う事が出来る。携帯電話やＰＨＳなどでは、かな漢字入力などのデータ入力の際のキー操作を簡単にし、データ入力作業の効率化を実現する。
【００２０】図１に示す、内蔵した発電機８により、パソコンおよび携帯電話などを含む電子機器、及びパソコンおよび携帯電話などを含む電子機器の二次電池へ電力を供給し、二次電池の使用可能時間を補う事が出来る。
【図面の簡単な説明】
【図１】形状図および操作方法。本図は、発明の概念及び実現方法を簡略かつ誇張した図面であり、形状及び寸法の比例関係などは実物と異なります。
【図２】電気回路図  回転キー回転を検出する接点。
【図３】電気回路図  回転キー押下を検出する接点。
【図４】電気回路図  補助押ボタンの押下を検出する接点。
【符号の説明】
ａ    外形図
ｂ    外形図の断面
ｃ    回転キー押下状態の外形図の断面
１    回転キー
２    回転キー回転検出用コモン接点
３    回転キー回転検出用接点
４    回転キー押下検出用接点コモン
５    回転キー押下検出用接点
６    補助押しボタン１
７    補助押しボタン２
８    発電機
３ａ  回転キー回転検出用接点１
３ｂ  回転キー回転検出用接点２
３ｃ  回転キー回転検出用接点３
３ｄ  回転キー回転検出用接点４
３ｅ  回転キー回転検出用接点５
３ｆ  回転キー回転検出用接点６
３ｇ  回転キー回転検出用接点７
３ｈ  回転キー回転検出用接点８
３ｉ  回転キー回転検出用接点９
３ｊ  回転キー回転検出用接点１０
３ｋ  回転キー回転検出用接点１１
３ｌ  回転キー回転検出用接点１２
３ｍ  回転キー回転検出用接点１３
３ｎ  回転キー回転検出用接点１４
３ｏ  回転キー回転検出用接点１５
３ｐ  回転キー回転検出用接点１６
【図１】
2005115889.tif 000003
【図２】
2005115889.tif 000004
【図３】
2005115889.tif 000005
【図４】
2005115889.tif 000006